(57)【特許請求の範囲】
【請求項１】
ポリエステル樹脂と分子量６万〜１７万のスチレン・マレイミド樹脂からなるポリエステル繊維であって、ポリエステル樹脂の配合量が９７〜７０重量％、スチレン・マレイミド樹脂の配合量が３〜３０重量％で、微細空洞を有し、繊維の見かけ比重が１．０以下であることを特徴とする軽量ポリエステル繊維。
【発明の詳細な説明】
【０００１】
【発明の属する技術分野】
本発明は、ポリエステル繊維内に多数の微細な空洞を有し、繊維の見かけ比重が１．０以下である軽量ポリエステル繊維に関するものである。
【０００２】
【従来の技術】
従来から、軽量感を有する布帛を得るために、ポリエステルやポリアミド等の合成繊維に中空部を設けることが行われてきた。例えば、特開昭６２−２１５０３２号公報には、中空率が４０〜９０％の高中空率の繊維が提案されている。しかしながら、このような高中空率の繊維は、製糸工程、高次加工の工程中に繊維の断面形状が変形したり、繊維壁が破れるという欠点があった。
【０００３】
このような問題を解決するものとして、特開平８−２２６００９号公報には、繊維の長さ方向に沿って連続した孔径0.14μｍ以上の中空部を少なくとも１１個有し、かつ単糸繊度が0.4〜５デニールの多孔型中空繊維が記載されている。
しかしながら、このような多孔型の中空繊維では、長さ方向に連続した中空部を形成させるためには、特別な紡糸口金や紡糸口金パックが必要であり、また、繊維断面の外径が小さい糸では中空部の数を多くすることができず、十分な軽量性を有する繊維とすることはできなかった。
【０００４】
【発明が解決しようとする課題】
本発明は上述の問題点を解決し、特別な紡糸口金や紡糸口金パックを必要とせず、製糸工程、高次加工の工程中においても繊維の変形や繊維壁の破断が生じることがなく、品位、糸質物性（強度、伸度等）ともに優れた軽量のポリエステル繊維を提供することを技術的な課題とするものである。
【０００５】
【課題を解決するための手段】
本発明者らは、上記課題を解決するために検討した結果、本発明に到達した。すなわち、本発明は、ポリエステル樹脂と分子量６万〜１７万のスチレン・マレイミド樹脂からなるポリエステル繊維であって、ポリエステル樹脂の配合量が９７〜７０重量％、スチレン・マレイミド樹脂の配合量が３〜３０重量％で、微細空洞を有し、繊維の見かけ比重が１．０以下であることを特徴とする軽量ポリエステル繊維を要旨とするものである。
【０００６】
【発明の実施の形態】
以下、本発明について詳細に説明する。
本発明の軽量ポリエステル繊維は、単繊維内に多数の微細空洞を有しているものである。単繊維内に多数の微細空洞を有していることによって、見かけ比重が1.0以下の軽量繊維とすることができる。したがって、製糸工程、高次加工の工程中においても高中空繊維に見られる扁平化や中空割れが生じることがなく、優れた品位と物性を有し、製編織すると軽量感を有する織編物が得られる。また、空洞部の発現は、特別な紡糸装置、紡糸設備を使用することなく、従来の装置を用いた通常の製糸工程で得られることから、安価に製造できる。
【０００７】
本発明のポリエステル繊維の各単繊維内に発現する微細空洞は、ポリエステル樹脂に対して非相溶の熱可塑性樹脂を混練、製糸することによって得られる。すなわち、これらの樹脂を溶融、混練し、紡糸した後、延伸を行う際にポリエステル樹脂とこれに非相溶の樹脂との間に剥離が生じ、単繊維内に多数の微細空洞部が発現するものである。
【０００８】
本発明においては、ポリエステル樹脂に非相溶の熱可塑性樹脂として、分子量６万〜１７万のスチレン・マレイミド樹脂を用いる。スチレン・マレイミド樹脂とは、マレイミドとスチレンとの共重合体であり、効果を損なわない範囲であれば、他の共重合可能な単量体が共重合されたものでもよい。
スチレン・マレイミド樹脂としては、電気化学（株）製のＭＳＮ−１２等が挙げられる。
【０００９】
スチレン・マレイミド樹脂は分子量が６万〜１７万のものとする。分子量が６万未満の場合、スチレン・マレイミド樹脂は単繊維内に分散され、単繊維内に発現する微細空洞部は多くなるものの、ポリエステル樹脂の配向、結晶化が阻害され、繊維の強伸度特性が低下したり、操業性が悪化する。一方、スチレン・マレイミド樹脂の分子量が１７万を超える場合では、単繊維内に生じる微細空洞部が少なくなり、繊維の見かけ比重が1.0を超え、本発明の目的とする軽量繊維が得られない。
【００１０】
そして、スチレン・マレイミド樹脂は、ポリエステル樹脂に配合、混練して溶融紡糸することが好ましく、配合量は３〜３０重量％とすることが必要である。スチレン・マレイミド樹脂の配合量が３重量％未満であると、単繊維内に発現する微細空洞が少なくなり、繊維の見かけ比重が1.0を超え、一方、配合量が３０重量％を超えると、操業性が悪化したり、得られる繊維の強度が低下し、実用に適さないものとなる。
【００１１】
本発明の軽量ポリエステル繊維に使用するポリエステル樹脂としては、ポリアルキレンテレフタレート、ポリアルキレンナフタレートであり、具体的にはポリエチレンテレフタレート（ＰＥＴ）、ポリブチレンテレフタレート（ＰＢＴ）が好ましい。また、本発明の効果を損なわない範囲であれば少量の共重合成分を含有していてもよく、共重合成分としては、５−ナトリウムスルホイソフタル酸、イソフタル酸、無水フタル酸等の芳香族ジカルボン酸成分、アジピン酸、セバシン酸等の脂肪族ジカルボン酸成分、ジエチレングリコール、プロピレングリコール、１，４−シクロヘキサンジメタノール、ビスフェノールＳのアルキレンオキシド付加物等のグリコール成分、４−ヒドロキシ安息香酸、ε−カプロラクトン等のヒドロキシカルボン酸成分が挙げられる。
【００１２】
繊維の断面形状は、特に限定されるものではなく、丸断面、あるいは異型断面のものでもよく、さらに軽量性を付与するために、中空部を設けてもよい。ただし、この場合、中空壁の破断、単繊維の強度低下による操業性の悪化を防ぐために、中空率は15％以下とすることが好ましい。
【００１３】
次に、本発明の軽量ポリエステル繊維の製造方法を説明する。
通常の紡糸装置を用い、270 〜290 ℃の温度でスチレン・マレイミド樹脂をポリエステル樹脂に溶融、混練する。スチレン・マレイミド樹脂は、ポリエステル樹脂と非相溶が故に、ポリエステル樹脂のポリマー中に分散される。
そして両者が混練されたポリマーを、紡糸温度280 〜300 ℃の温度で紡糸を行い、紡糸速度1000〜1500ｍ／分で引き取り、未延伸糸を得る。
【００１４】
得られた未延伸糸を一旦巻き取るか、又は巻き取ることなく連続して延伸速度400 〜800 ｍ／分、温度70〜90℃、倍率2.5 〜3.5 で延伸を行い、延伸糸を得る。この時に、ポリエステル樹脂と非相溶であるスチレン・マレイミド樹脂に剥離が生じ、単繊維内に多数の微細空洞部が発現する。
【００１５】
【実施例】
次に、実施例によって本発明を具体的に説明する。
なお、実施例における特性値の測定値は次の通りである。
（ａ）溶融粘度〔ηmelt〕
フローテスター島津CFT-500型を用い、280℃シェアレート1500sec−１で測定した値から求めた。
（ｂ）強伸度
オリエンテック社製テンシロンRTC-1210を用いて行った。
（ｃ）見かけ比重
繊維の見かけ比重は、JIS-L-1013 7.14.2項に定められた密度勾配管法に基づき測定した。
（ｄ）操業性
２４時間連続操業したときの切糸が３回未満のものを○、３回以上のものを×とした。
【００１６】
実施例１
溶融粘度がηmelt：2500 poiseのＰＥＴに、電気化学社製のηmelt：24000poise、分子量１２万のスチレン・マレイミド樹脂（MSN-12）を配合量１０重量％となるように、溶融紡糸時に配合、混練し、通常の紡糸装置を用いてオリフィスの孔径0.3mm の紡糸口金から紡糸温度290 ℃、紡糸速度1200ｍ／分で紡糸を行った。そして、150 ｄ／36ｆの未延伸糸を一旦捲取った後、引き続いて延伸機のローラを85℃にして、延伸倍率3.0倍で延伸し、120℃で熱セット処理を行い、50ｄ／36ｆのポリエステル繊維を得た。
【００１７】
実施例２〜５  比較例１〜４
スチレン・マレイミド樹脂の分子量及び配合量を表１に示すように種々変更した以外は、実施例１と同様に行った。
【００１８】
実施例１〜５、比較例１〜４で得られた繊維の強度、伸度、見かけ比重、操業性の評価結果を表１に示す。
【００１９】
【表１】
0004033566.tif 000002
【００２０】
実施例６〜８
糸の断面の中心部付近に中空部が形成されるような紡糸口金を種々変更して用いた以外は、実施例１と同様にして中空断面繊維を得た。
このとき、得られた繊維の中空率を下記の式で求めた。
断面中空率（％）＝（Ａ／Ｂ）×100
ただし、Ａ：繊維軸方向に対して直角に切断して得られた繊維断面の中から任意に選び出した単糸の中空部の全面積
Ｂ：Ａで選び出した単糸の中空部を含んだ全面積
得られた繊維の中空率、強度、伸度、見かけ比重、操業性の評価結果を表２に示す。
【００２１】
【表２】
0004033566.tif 000003
【００２２】
表１、２から明らかなように、実施例１〜８の繊維は、実用上十分な強伸度を有し、見かけ比重が1.0以下であり、操業性よく得ることができた。中でも実施例６〜８の繊維は、中空部を有していたため、見かけ比重が小さく、軽量感に優れていた。
一方、比較例１の繊維はスチレン・マレイミド樹脂の分子量が小さすぎたため、強度、伸度ともに低いものとなった。比較例２の繊維はスチレン・マレイミド樹脂の分子量が大きすぎたため、単繊維内に生じる微細空洞部が少なくなり、繊維の見かけ比重が1.0を超え、軽量繊維が得られなかった。比較例３の繊維は、スチレン・マレイミド樹脂の配合量が少なすぎたため、単繊維内に発現する微細空洞が少なくなり、繊維の見かけ比重が1.0を超えた。比較例４は、スチレン・マレイミド樹脂の配合量が多すぎたため、操業性が悪化し、得られた繊維は強度、伸度ともに劣り、実用に適さないものであった。
【００２３】
【発明の効果】
本発明の軽量ポリエステル繊維は、多数の微細空洞を有する見かけ比重が1.0 以下の繊維であり、特別な紡糸口金や紡糸口金パックを必要とせず、製糸工程、高次加工の工程中においても繊維の変形や繊維壁の破断が生じることがなく得ることができ、品位、糸質物性（強度、伸度等）ともに優れている。そして、製編織することによって、優れた軽量感を有する布帛を得ることが可能となる。